(57)【要約】【課題】  床面内に埋込まれる床埋込材に発光ダイオードを内蔵し、この発光ダイオードの配光を自由に変更可能にし、天井面や壁面を多様にライトアップ可能にすること。【解決手段】  床面内に埋込まれる床埋込材１０において、床面上方を照射する発光ダイオード２０を内蔵し、該発光ダイオード２０の配光を変更可能にしてなるもの。【選択図】  図１
2010121280.tif 000002
【特許請求の範囲】
【請求項１】
床面内に埋込まれる床埋込材において、床面上方を照射する発光ダイオードを内蔵し、該発光ダイオードの配光を変更可能にしてなる床埋込材。
【請求項２】
前記発光ダイオードを移動自在に支持するレールを内蔵し、着脱できる透過板により該レール及び該発光ダイオードを被覆してなる請求項１に記載の床埋込材。
【請求項３】
前記発光ダイオードを揺動自在に内蔵してなる請求項１又は２に記載の床埋込材。
【発明の詳細な説明】
【技術分野】
【０００１】
本発明は、床面に設置される床見切、畳寄せ、框等の床埋込材に関する。
【背景技術】
【０００２】
従来、住宅等のリビング用床面とダイニング用床面の間で、床面内に埋込まれる床見切等の床埋込材が用いられている（特許文献１）。
【０００３】
また、建築用陶板の埋込み用凹部に発光ダイオードを埋込み、発光装飾性を備えた階段板、幅木等が提案されている（特許文献２）。
【特許文献１】特開2004-19212
【特許文献２】特公平7-6279
【発明の開示】
【発明が解決しようとする課題】
【０００４】
特許文献１に記載された床見切等の床埋込材は発光装飾性を備えるところがない。
【０００５】
特許文献２に記載された建築用陶板は発光ダイオードを固定的に内蔵するものであり、発光ダイオードの配光を自由に変更可能にするところがない。
【０００６】
本発明の課題は、床面内に埋込まれる床埋込材に発光ダイオードを内蔵し、この発光ダイオードの配光を自由に変更可能にし、天井面や壁面を多様にライトアップ可能にすることにある。
【課題を解決するための手段】
【０００７】
請求項１の発明は、床面内に埋込まれる床埋込材において、床面上方を照射する発光ダイオードを内蔵し、該発光ダイオードの配光を変更可能にしてなるようにしたものである。
【０００８】
請求項２の発明は、請求項１の発明において更に、前記発光ダイオードを移動自在に支持するレールを内蔵し、着脱できる透過板により該レール及び該発光ダイオードを被覆してなるようにしたものである。
【０００９】
請求項３の発明は、請求項１又は２の発明において更に、前記発光ダイオードを揺動自在に内蔵してなるようにしたものである。
【発明の効果】
【００１０】
（請求項１）
(a)床埋込材が床面上方を照射する発光ダイオードを内蔵し、該発光ダイオードの配光を変更可能にした。従って、発光ダイオードの配光（照射位置、照射方向）を自由に変更し、床面上方の天井面や壁面を多様にライトアップできる。
【００１１】
（請求項２）
(b)床埋込材が発光ダイオードを移動自在に支持するレールを内蔵し、着脱できる透過板により該レール及び該発光ダイオードを被覆した。従って、発光ダイオードはレールに沿って自由に移動でき、発光ダイオードの照射位置を簡易かつ自由に変更できる。
【００１２】
（請求項３）
(c)床埋込材が発光ダイオードを揺動自在に内蔵する。従って、発光ダイオードは左右方向（前後左右等、全方向もあり得る）に自由に揺動でき、発光ダイオードの照射方向を簡易かつ自由に変更できる。
【発明を実施するための最良の形態】
【００１３】
図１は実施例１の床見切を示す断面図、図２は床見切を示す斜視図、図３は床見切に内蔵した発光ダイオードの配光の一例を示す断面図、図４は床見切に内蔵した発光ダイオードの配光の他の例を示す断面図、図５は実施例２の畳寄せを示す断面図、図６は畳寄せを示す斜視図である。
【実施例】
【００１４】
（実施例１）（図１〜図４）
図１に示す床見切１０（床埋込材）は、リビング用フローリング１１とダイニング用フローリング１２の間で、床面内に埋込まれる。
【００１５】
床見切１０は、床面上方を照射する発光ダイオード２０を内蔵し、発光ダイオード２０の配光を変更可能にする。本実施例では、床見切１０は複数の発光ダイオード２０を内蔵する。
【００１６】
床見切１０は、長手方向に沿って延在されるとともに、上面に開口する掘り込み凹部１０Ａを有し、この掘り込み凹部１０Ａの底部中央に長手方向に沿うレール１３を内蔵する。床見切１０は、レール１３の溝に複数の支持体２１を移動可能に嵌合し、複数の発光ダイオード２０のそれぞれを各支持体２１のそれぞれに揺動自在に支持する。本実施例では、発光ダイオード２０を支持体２１に自在継手２１Ａにより前後左右を含む全方向に揺動自在にする。発光ダイオード２０は支持体２１に単一のピン継手を介して左右方向にだけ揺動可能にするものでも良い。
【００１７】
床見切１０は、レール１３自体を給電体とし、又はレール１３に給電体を付帯し、電源の電力をこの給電体、支持体２１、継手２１Ａを介して発光ダイオード２０に給電する。電源の操作により、発光ダイオード２０の点灯、点滅、照度等が制御される。
【００１８】
床見切１０は、レール１３を内蔵させた掘り込み凹部１０Ａの上部に着脱できる透過板（拡散板でも可）１４を設け、レール１３及び発光ダイオード２０をこの透過板１４により被覆する。
【００１９】
従って、床見切１０にあっては、発光ダイオード２０をレール１３に沿ってＡ方向（図２）に自由に移動でき、かつ発光ダイオード２０を支持体２１に対してＢ方向（図２）に自由に揺動でき、発光ダイオード２０の照射位置及び照射方向を自由に変更できる。図３は、発光ダイオード２０の照射光がリビングとダイニングの間で、床面から天井面に立上がる光のカーテンを形成する照射状態を示す。図４は、複数の発光ダイオード２０の照射光が天井面の１点に集光される照射状態を示す。
【００２０】
本実施例によれば以下の作用効果を奏する。
(a)床見切１０が床面上方を照射する発光ダイオード２０を内蔵し、該発光ダイオード２０の配光を変更可能にした。従って、発光ダイオード２０の配光（照射位置、照射方向）を自由に変更し、床面上方の天井面を多様にライトアップできる。
【００２１】
(b)床見切１０が発光ダイオード２０を移動自在に支持するレール１３を内蔵し、着脱できる透過板１４により該レール１３及び該発光ダイオード２０を被覆した。従って、発光ダイオード２０は透過板１４を取外されて露出するレール１３に沿って自由に移動でき、発光ダイオード２０の照射位置を簡易かつ自由に変更できる。
【００２２】
(c)床見切１０が発光ダイオード２０を揺動自在に内蔵する。従って、発光ダイオード２０は左右方向（前後左右等、全方向もあり得る）に自由に揺動でき、発光ダイオード２０の照射方向を簡易かつ自由に変更できる。
【００２３】
（実施例２）
図５、図６に示す畳寄せ１００（床埋込材）は、畳１１１と壁１１２の間で、床面内に埋込まれる。
【００２４】
畳寄せ１００は、実施例１の床見切１０と同様に、掘り込み凹部１００Ａの底部中央にレール１１３を内蔵し、レール１１３の溝に複数の支持体１２１を移動可能に嵌合し、複数の発光ダイオード１２０のそれぞれを各支持体１２１のそれぞれに揺動自在に支持する。
【００２５】
畳寄せ１００は、電源の電力をレール１１３自体又はそれに付帯する給電体、支持体１２１を介して発光ダイオード１２０に給電する。電源の照射により、発光ダイオード１２０の点灯、点滅、照度等が制御される。
【００２６】
畳寄せ１００は、レール１１３を内蔵させた掘り込み凹部１００Ａの上部に着脱できる透過板（拡散板でも可）１１４を設け、レール１１３及び発光ダイオード１２０をこの透過板１１４により被覆する。
【００２７】
従って、畳寄せ１００にあっては、発光ダイオード１２０をレール１１３に沿って自由に移動でき、かつ発光ダイオード１２０を支持体１２１に対して自由に揺動でき、発光ダイオード１２０の照射位置及び照射方向を自由に変更できる。図６は、発光ダイオード１２０の照射光が壁面に投光された照射状態を示す。
【００２８】
本実施例によれば以下の作用効果を奏する。
(a)畳寄せ１００が床面上方を照射する発光ダイオード１２０を内蔵し、該発光ダイオード１２０の配光を変更可能にした。従って、発光ダイオード１２０の配光（照射位置、照射方向）を自由に変更し、床面上方の壁面を多様にライトアップできる。
【００２９】
(b)畳寄せ１００が発光ダイオード１２０を移動自在に支持するレール１１３を内蔵し、着脱できる透過板により該レール１１３及び該発光ダイオード１２０を被覆した。従って、発光ダイオード１２０は透過板１１４を取外されて露出するレール１１３に沿って自由に移動でき、発光ダイオード１２０の照射位置を簡易かつ自由に変更できる。
【００３０】
(c)畳寄せ１００が発光ダイオード１２０を揺動自在に内蔵する。従って、発光ダイオード１２０は左右方向（前後左右等、全方向もあり得る）に自由に揺動でき、発光ダイオード１２０の照射方向を簡易かつ自由に変更できる。
【００３１】
以上、本発明の実施例を図面により詳述したが、本発明の具体的な構成はこの実施例に限られるものではなく、本発明の要旨を逸脱しない範囲の設計の変更等があっても本発明に含まれる。例えば、発光ダイオードがレール等の給電体を介して給電されるものでなく、発光ダイオードに電源電池を付帯して備えるものでも良い。
【図面の簡単な説明】
【００３２】
【図１】図１は実施例１の床見切を示す断面図である。
【図２】図２は床見切を示す斜視図である。
【図３】図３は床見切に内蔵した発光ダイオードの配光の一例を示す断面図である。
【図４】図４は床見切に内蔵した発光ダイオードの配光の他の例を示す断面図である。
【図５】図５は実施例２の畳寄せを示す断面図である。
【図６】図６は畳寄せを示す斜視図である。
【符号の説明】
【００３３】
１０  床見切（床埋込材）
１３  レール
１４  透過板
２０  発光ダイオード
１００  畳寄せ（床埋込材）
１１３  レール
１１４  透過板
１２０  発光ダイオード
【図１】
2010121280.tif 000003
【図２】
2010121280.tif 000004
【図３】
2010121280.tif 000005
【図４】
2010121280.tif 000006
【図５】
2010121280.tif 000007
【図６】
2010121280.tif 000008